(57)【要約】【課題】  画像のダイナミックレンジを圧縮する際の処理時間を短縮する。【解決手段】  画像解析部２３がＡＥ処理された画像Ｓ１を解析してダイナミックレンジを圧縮するための圧縮テーブルの傾きを求めるための係数Ｐｈ，Ｐｓを求め、圧縮テーブル生成部２４が圧縮テーブルＴ０を生成する。補正量算出部２５が圧縮テーブルＴ０の傾きが所定のしきい値よりも大きいか否かを判定し、この判定が肯定されると、ダイナミックレンジ圧縮処理により画像Ｓ２に含まれる細かなテクスチャのつぶれが大きくなるため、画像Ｓ２のボケ画像を用いて補正量Ｃ０を算出する。この判定が否定されると、画像に含まれる細かなテクスチャのつぶれが小さいため、画像Ｓ２を用いて補正量Ｃ０を算出する。圧縮処理部２６は補正量Ｃ０により画像Ｓ２のダイナミックレンジを圧縮して処理済み画像データＳ３を得る。【選択図】          図１
2005079624.tif 000002
【特許請求の範囲】
【請求項１】
画像を表す画像データに基づいて、該画像のダイナミックレンジを圧縮するための補正量を算出する補正量算出手段と、該補正量により前記画像データを補正して前記画像のダイナミックレンジを圧縮する処理を含む画像処理を前記画像に施すことにより、ダイナミックレンジが圧縮された処理済み画像を得る処理手段とを備えた画像処理装置において、
前記画像処理による画像の変化量が所定のしきい値よりも大きいか否かを判定する判定手段をさらに備え、
前記補正量算出手段は、前記判定が肯定された場合、前記画像のボケ画像を生成して該ボケ画像から前記補正量を算出し、前記判定が否定された場合、前記画像から前記補正量を算出する手段であることを特徴とする画像処理装置。
【請求項２】
前記判定手段は、前記ダイナミックレンジを圧縮する際の圧縮率の大きさ、該補正量を算出する際に用いられる圧縮テーブルの傾きの大きさ、および前記画像処理がＡＥ処理を含む場合における濃度補正量の大きさを前記画像の変化量として、前記判定を行う手段であることを特徴とする請求項１記載の画像処理装置。
【請求項３】
画像を表す画像データに基づいて、該画像のダイナミックレンジを圧縮するための補正量を算出し、該補正量により前記画像データを補正して前記画像のダイナミックレンジを圧縮する処理を含む画像処理を前記画像に施すことにより、ダイナミックレンジが圧縮された処理済み画像を得る画像処理方法において、
前記画像処理による画像の変化量が所定のしきい値よりも大きいか否かを判定し、
前記判定が肯定された場合、前記画像のボケ画像を生成して該ボケ画像から前記補正量を算出し、前記判定が否定された場合、前記画像から前記補正量を算出することを特徴とする画像処理方法。
【請求項４】
画像を表す画像データに基づいて、該画像のダイナミックレンジを圧縮するための補正量を算出し、該補正量により前記画像データを補正して前記画像のダイナミックレンジを圧縮する処理を含む画像処理を前記画像に施すことにより、ダイナミックレンジが圧縮された処理済み画像を得る画像処理方法をコンピュータに実行させるためのプログラムにおいて、
前記画像処理による画像の変化量が所定のしきい値よりも大きいか否かを判定する手順と、
前記判定が肯定された場合、前記画像のボケ画像を生成して該ボケ画像から前記補正量を算出し、前記判定が否定された場合、前記画像から前記補正量を算出する手順とを有することを特徴とするプログラム。
【発明の詳細な説明】
【技術分野】
【０００１】
本発明は、画像のダイナミックレンジを、画像を出力する例えばプリンタ等の出力デバイスのダイナミックレンジに収まるように圧縮する画像処理装置および方法並びに画像処理方法をコンピュータに実行させるためのプログラムに関するものである。
【背景技術】
【０００２】
従来より、デジタルカメラ等の撮像装置により被写体を撮影することにより取得された画像や、ネガフイルム、リバーサルフイルム等の写真フイルムや印刷物等に記録された画像を光電的に読み取ることにより得られた画像をプリンタ等の再生装置において再生することが行われている。このように画像を再生装置において再生する場合において、画像上の明部および／または暗部がつぶれてしまうことを防止するために、画像のダイナミックレンジが再生装置のダイナミックレンジ内に収まるように、画像のダイナミックレンジを圧縮することが行われている。
【０００３】
このようなダイナミックレンジ圧縮方法において、画像に対してローパスフィルタによるフィルタリング処理を施して、画像中の空間周波数が低い構造物のみを表すボケ画像を作成し、ボケ画像を用いてダイナミックレンジを圧縮することにより、画像に含まれる明部および暗部内の細かなテクスチャのコントラストを残しつつも、画像の明部および暗部の双方のつぶれを抑える方法が提案されている（特許文献１参照）。
【０００４】
また、ボケ画像を用いてダイナミックレンジを圧縮する際に、フィルタのラインメモリを節約するためにＩＩＲフィルタを用いるようにした方法（特許文献２参照）、および処理済み画像のエッジに現れるアーチファクトを抑制するために、周波数帯域が異なる複数のボケ画像を生成し、生成した複数のボケ画像の積算信号を用いてダイナミックレンジを圧縮する手法（特許文献３参照）が提案されている。
【特許文献１】特開平９−１３０６０９号公報
【特許文献２】特開平９−１８２０９３号公報
【特許文献３】特開平１０−７５３６４号公報
【発明の開示】
【発明が解決しようとする課題】
【０００５】
しかしながら、上記特許文献２，３に記載された方法においては、フィルタのラインメモリを節約できたり、処理済み画像の画質を向上させることができるものの、ダイナミックレンジを圧縮するための演算量が多く、処理に長時間を要するものとなっている。
【０００６】
本発明は上記事情に鑑みなされたものであり、画像のダイナミックレンジを圧縮する際の処理時間を短縮することを目的とする。
【課題を解決するための手段】
【０００７】
本発明による画像処理装置は、画像を表す画像データに基づいて、該画像のダイナミックレンジを圧縮するための補正量を算出する補正量算出手段と、該補正量により前記画像データを補正して前記画像のダイナミックレンジを圧縮する処理を含む画像処理を前記画像に施すことにより、ダイナミックレンジが圧縮された処理済み画像を得る処理手段とを備えた画像処理装置において、
前記画像処理による画像の変化量が所定のしきい値よりも大きいか否かを判定する判定手段をさらに備え、
前記補正量算出手段は、前記判定が肯定された場合、前記画像のボケ画像を生成して該ボケ画像から前記補正量を算出し、前記判定が否定された場合、前記画像から前記補正量を算出する手段であることを特徴とするものである。
【０００８】
なお、本発明による画像処理装置においては、前記判定手段を、前記ダイナミックレンジを圧縮する際の圧縮率の大きさ、該補正量を算出する際に用いられる圧縮テーブルの傾きの大きさ、および前記画像処理がＡＥ処理を含む場合における濃度補正量の大きさを前記画像の変化量として、前記判定を行う手段としてもよい。
【０００９】
本発明による画像処理方法は、画像を表す画像データに基づいて、該画像のダイナミックレンジを圧縮するための補正量を算出し、該補正量により前記画像データを補正して前記画像のダイナミックレンジを圧縮する処理を含む画像処理を前記画像に施すことにより、ダイナミックレンジが圧縮された処理済み画像を得る画像処理方法において、
前記画像処理による画像の変化量が所定のしきい値よりも大きいか否かを判定し、
前記判定が肯定された場合、前記画像のボケ画像を生成して該ボケ画像から前記補正量を算出し、前記判定が否定された場合、前記画像から前記補正量を算出することを特徴とするものである。
【００１０】
なお、本発明による画像処理方法をコンピュータに実行させるためのプログラムとして提供してもよい。
【発明の効果】
【００１１】
本発明によれば、ダイナミックレンジ圧縮処理を含む画像処理による画像の変化量が所定のしきい値よりも大きいか否かが判定される。そして、この判定が肯定されると、ダイナミックレンジ圧縮処理により画像に含まれる細かなテクスチャのつぶれが大きくなるため、上記特許文献１に記載されたように画像のボケ画像が生成されてボケ画像からダイナミックレンジの補正量が算出される。一方、上記判定が否定されると、画像処理による画像の変化量は小さく、画像に含まれる細かなテクスチャのつぶれも小さいため、ボケ画像ではなく画像からダイナミックレンジの補正量が算出される。このため、画像処理による画像の変化量が小さい場合には、ボケ画像を用いて補正量を算出する場合と比較して演算量を低減することができ、これによりダイナミックレンジ圧縮処理を含む画像処理を画像に施す際の処理時間を短縮することができる。
【００１２】
また、画像のダイナミックレンジを圧縮する際の圧縮率、ダイナミックレンジを圧縮するための補正量を算出する際に用いられる圧縮テーブルの傾きの大きさ、および画像処理がＡＥ処理を含む場合における明るさ補正量の大きさのいずれかを画像の変化量とすることにより、画像の変化量が所定のしきい値よりも大きいか否かの判定を簡易に行うことができる。
【発明を実施するための最良の形態】
【００１３】
以下、図面を参照して本発明の実施形態について説明する。図１は本発明の実施形態による画像処理装置の構成を示す概略ブロック図である。図１に示すように、本実施形態による画像処理装置は、ＲＧＢの各色データからなるカラー画像を表す画像データＳ０の入力を受け付ける画像入力部１、画像データＳ０に対してダイナミックレンジ圧縮処理を含む画像処理を施して処理済み画像データＳ３を得る画像処理部２および処理済み画像データＳ３を再生するプリンタやモニタ等の画像出力部３とを備える。なお、本実施形態においては、画像出力部３を処理済み画像データＳ３のプリントＰを得るプリンタとする。
【００１４】
画像入力部１は、メディアに記録された画像データＳ０をメディアから読み出すメディアドライブや、ネットワーク経由で送信された画像データＳ０の入力を受け付ける各種インターフェースからなる。なお、画像データＳ０はデジタルカメラ等の撮像装置により取得されたものであってもよく、フイルムや原稿に記録された画像を光電的に読み出すことにより取得されたものであってもよい。また、本実施形態においては８ビットの画像データＳ０が入力されるものとする。
【００１５】
画像処理部２は、画像データＳ０のビット数を８ビットから１０または１２ビットに変換してビット変換された画像データＳ１を得るビット変換部２１、画像データＳ１に対してＡＥ処理を施してＡＥ処理が施された画像データＳ２を得るＡＥ処理部２２、画像データＳ２により表される画像（以下画像についても同様に参照符号Ｓ２を用いる）を解析して、ダイナミックレンジを圧縮する圧縮テーブルＴ０の傾きを求めるための係数を算出する画像解析部２３、画像解析部２３が算出した係数に基づいて、画像Ｓ０のダイナミックレンジを圧縮する圧縮テーブルＴ０を生成する圧縮テーブル生成部２４、圧縮テーブル生成部２４が生成した圧縮テーブルＴ０によりダイナミックレンジの補正量Ｃ０を算出する補正量算出部２５、および補正量Ｃ０により画像Ｓ２のダイナミックレンジを圧縮して処理済み画像データＳ３を得る圧縮処理部２６を備える。
【００１６】
ビット変換部２１は、画像データＳ０のビット数を、８ビットよりも大きい１０または１２ビットに変換してビット数が変換された画像データＳ１を得る。
【００１７】
ＡＥ処理部２２は、画像データＳ１により表される画像（以下画像についても参照符号Ｓ１を用いる）から肌色の領域を顔領域として検出し、顔領域があらかじめ定められた適切な明るさとなるように、画像Ｓ１の全画素に所定値を加減算することにより、ＡＥ処理が施された画像データＳ２を得る。これにより、例えば画像Ｓ１の各画素から所定値を減算する場合には、図２に示すように、画像Ｓ１の濃度の全体が低減されることとなる。なお、ＡＥ処理の方法はこれに限定されるものではなく、公知の各種方法を適用することができる。
【００１８】
画像解析部２３は、以下のようにして画像Ｓ２の圧縮率を設定する。まず、画像解析部２３は、下記の式（１）により画像Ｓ２の各画素の濃度Ｙを算出する。なお、Ｒ０，Ｇ０，Ｂ０は、画像Ｓ２の各画素のＲＧＢデータである。  
Ｙ＝０．３１２５Ｒ０＋０．３７５０Ｇ０＋０．３１２５Ｂ０    （１）
次いで画像解析部２３は濃度Ｙのヒストグラムを求める。図３は濃度ＹのヒストグラムＨを示す図である。画像解析部２３は、ヒストグラムＨにおいて、ハイライト側およびシャドウ側からの累積相対度数が３％を示す濃度をそれぞれ画像データＳ２のハイライト濃度Ｙｈおよびシャドウ濃度Ｙｓとして求める。
【００１９】
一方、画像解析部２３には画像出力部３が再生可能な最低濃度Ｄｍｉｎおよび最高濃度Ｄｍａｘの情報が入力されており、画像解析部２３は、ハイライト濃度Ｙｈと最低濃度Ｄｍｉｎとを比較して、ハイライト濃度Ｙｈの方が最低濃度Ｄｍｉｎよりも低い場合には、あらかじめ設定されている基準濃度Ｙ０を中心として、ハイライト濃度Ｙｈが最低濃度Ｄｍｉｎ内に収まるようにするための圧縮テーブルＴ０の傾きを求める係数Ｐｈを算出する。一方、画像解析部２３は、シャドウ濃度Ｙｓと最高濃度Ｄｍａｘとを比較して、シャドウ濃度Ｙｓの方が最高濃度Ｄｍａｘよりも高い場合には、あらかじめ設定されている基準濃度Ｙ０を中心として、シャドウ濃度Ｙｓが最高濃度Ｄｍａｘ内に収まるようにするための圧縮テーブルＴ０の傾きを求める係数Ｐｓを算出する。具体的には、下記の式（２）および（３）に示すように係数Ｐｈ，Ｐｓを算出する。
【００２０】
Ｐｈ＝（Ｄｍｉｎ−Ｙ０）／（Ｙｈ−Ｙ０）    （２）
Ｐｓ＝（Ｄｍａｘ−Ｙ０）／（Ｙｓ−Ｙ０）    （３）
ここで、基準濃度Ｙ０の値としては、例えば画像Ｓ０に含まれる被写体が人物である場合、肌色と略同一の濃度である０．５０〜０．７０の間の値（ビット数に対する割合として）、好ましくは０．６に設定される。
【００２１】
なお、ハイライト濃度Ｙｈが最低濃度Ｄｍｉｎ内に収まる場合には係数Ｐｈは算出されず、シャドウ濃度Ｙｓが最高濃度Ｄｍａｘ内に収まる場合には係数Ｐｓは算出されない。
【００２２】
圧縮テーブル生成部２４は、画像解析部２３が設定した係数Ｐｈ，Ｐｓに基づいて圧縮テーブルＴ０を生成する。図４は圧縮テーブルの例を示す図である。図４に示すように圧縮テーブルＴ０において、Ｙ０は上述した基準濃度であり、直線部分の傾きはハイライト側（すなわち基準濃度Ｙ０よりも左側）ではＰｈ−１、シャドウ側（すなわち基準濃度Ｙ０よりも右側）ではＰｓ−１となっている。
【００２３】
なお、画像解析部２３において、係数Ｐｓが算出されなかった場合は図５に示すようにハイライト部のみを圧縮する圧縮テーブルＴ０が生成される。また、係数Ｐｈが算出されなかった場合には図６に示すようにシャドウ部のみを圧縮する圧縮テーブルＴ０が生成される。本実施形態においては、図４に示すようにシャドウ部およびハイライト部の双方を圧縮する圧縮テーブルＴ０が生成されたものとする。
【００２４】
ここで、圧縮テーブルＴ０において、傾きが変化する部分（すなわち基準濃度Ｙ０の点）が不連続であると、処理済み画像にアーチファクトが生じる場合があるため、傾きが連続するような関数を設定することにより、アーチファクトの発生を防止することができる。
【００２５】
補正量算出部２５は、上述した式（１）により画像Ｓ２の各画素の濃度Ｙを算出する。そして、生成された圧縮テーブルＴ０のハイライト側の傾きの大きさ｜Ｐｈ−１｜がしきい値Ｔｈ１より大きくかつシャドウ側の傾きの大きさ｜Ｐｓ−１｜がしきい値Ｔｈ２より大きいかを判定する。そして、この判定が肯定された場合には、ダイナミックレンジを圧縮することにより、ダイナミックレンジ圧縮処理により画像Ｓ２に含まれる細かなテクスチャのつぶれが大きくなるため、画像Ｓ２に対して所定サイズのローパスフィルタによるフィルタリング処理を施して、ボケ濃度Ｙ′からなるボケ画像Ｓ２′を得る。ここで、ローパスフィルタのサイズが小さ過ぎると鮮鋭度が不自然に強調されたり、エッジ部分のオーバーシュートが目立つようになってしまう。一方、顔等の主要な被写体が小さいときにボケマスクの効果があまり現れなかったり、演算量が多くなって装置の規模が大きくなってしまうという欠点が生じる。このため、本実施形態においてはこのようなことが生じないようにローパスフィルタのサイズを設定する。
【００２６】
そして、ボケ濃度Ｙ′を用いて圧縮テーブルＴ０を参照して得られる値ＬｕｔＤＲ（Ｙ′）をダイナミックレンジの補正量Ｃ０として算出する。
【００２７】
一方、上記判定が否定された場合には、ダイナミックレンジ圧縮処理による画像Ｓ２の変化量は小さく、画像Ｓ２に含まれる細かなテクスチャのつぶれも小さいため、ボケ濃度Ｙ′ではなく、濃度Ｙを用いて圧縮テーブルＴ０を参照して得られる値ＬｕｔＤＲ（Ｙ）をダイナミックレンジの補正量Ｃ０として算出する。
【００２８】
圧縮処理部２６は、画像データＳ２に対して補正量算出部２５が算出した補正量Ｃ０に基づいてダイナミックレンジ圧縮処理を施す。具体的には、下記の式（４）〜（６）に示すように、画像Ｓ２の各画素のＲＧＢ各色データＲ０，Ｇ０，Ｂ０に対して、補正量Ｃ０を加算することにより、処理済みのＲＧＢ各色データＲ１，Ｇ１，Ｂ１を得る。  
Ｒ１＝Ｒ０＋Ｃ０      （４）
Ｇ１＝Ｇ０＋Ｃ０      （５）
Ｂ１＝Ｂ０＋Ｃ０      （６）
そして圧縮処理部２６は、処理済みのＲＧＢ各色データＲ１，Ｇ１，Ｂ１からなる処理済み画像データＳ３を画像出力部３に出力する。
【００２９】
これにより、図２に示すように、基準濃度Ｙ０を中心として画像Ｓ２のハイライト側の濃度が高められ、シャドウ側の濃度が低められることにより、画像Ｓ２のダイナミックレンジが圧縮される。
【００３０】
画像出力部３は、処理済み画像データＳ３のビット数を８ビットに変換してプリント出力して処理済み画像のプリントＰを得る。
【００３１】
次いで、本実施形態の動作について説明する。図７は本実施形態において行われる処理を示すフローチャートである。まず、画像入力部１が画像データＳ０の入力を受け付ける（ステップＳ１）。次いで、ビット変換部２１が画像データＳ０のビット数を変換して画像データＳ１を得（ステップＳ２）、ＡＥ処理部２２が画像データＳ１をＡＥ処理して画像データＳ２を得る（ステップＳ３）。そして、画像解析部２３が係数Ｐｈ，Ｐｓを算出し（ステップＳ４）、圧縮テーブル生成部２４が係数Ｐｈ，Ｐｓに基づいて圧縮テーブルＴ０を生成する（ステップＳ５）。
【００３２】
次いで、補正量算出部２５が画像Ｓ２の各画素の濃度Ｙを算出し（ステップＳ６）、圧縮テーブルＴ０のハイライト側の傾きの大きさ｜Ｐｈ−１｜がしきい値Ｔｈ１より大きくかつシャドウ側の傾きの大きさ｜Ｐｓ−１｜がしきい値Ｔｈ２より大きいかを判定する（ステップＳ７）。ステップＳ７が肯定されると濃度Ｙのボケ濃度Ｙ′からなるボケ画像Ｓ２′を生成し（ステップＳ８）、圧縮テーブルＴ０を参照してボケ濃度Ｙ′からダイナミックレンジの補正量Ｃ０を算出する（ステップＳ９）。一方、ステップＳ７が否定されると濃度Ｙからダイナミックレンジの補正量Ｃ０を算出する（ステップＳ１０）。
【００３３】
そして圧縮処理部２６が補正量Ｃ０により画像Ｓ２のダイナミックレンジを圧縮して処理済み画像データＳ３を得（ステップＳ１１）、画像出力部３が処理済み画像データＳ３をプリント出力し（ステップＳ１２）、処理を終了する。
【００３４】
このように、本実施形態においては、圧縮テーブルＴ０のハイライト側の傾きの大きさ｜Ｐｈ−１｜がしきい値Ｔｈ１より大きくかつシャドウ側の傾きの大きさ｜Ｐｓ−１｜がしきい値Ｔｈ２より大きいか否かを判定し、この判定が肯定された場合には画像Ｓ２のボケ画像Ｓ２′を生成してボケ濃度Ｙ′からダイナミックレンジの補正量Ｃ０を算出し、否定された場合には画像Ｓ２のボケ画像Ｓ２′を生成することなくダイナミックレンジの補正量Ｃ０を算出するようにしたものである。このため、圧縮テーブルＴ０の傾きが小さく、ダイナミックレンジ圧縮処理による画像の変化量が小さい場合には、ボケ濃度Ｙ′から補正量Ｃ０を算出する場合と比較して演算量を低減することができ、これによりダイナミックレンジ圧縮処理を施す際の処理時間を短縮することができる。
【００３５】
なお、上記実施形態においては、圧縮テーブルＴ０のハイライト側の傾きの大きさ｜Ｐｈ−１｜がしきい値Ｔｈ１より大きくかつシャドウ側の傾きの大きさ｜Ｐｓ−１｜がしきい値Ｔｈ２より大きい場合に、ボケ濃度Ｙ′からダイナミックレンジの補正量Ｃ０を算出しているが、圧縮テーブルＴ０のハイライト側の傾きの大きさ｜Ｐｈ−１｜がしきい値Ｔｈ１より大きいかまたはシャドウ側の傾きの大きさ｜Ｐｓ−１｜がしきい値Ｔｈ２より大きい場合に、ボケ濃度Ｙ′からダイナミックレンジの補正量Ｃ０を算出してもよい。なお、図５に示すように、ハイライト側のダイナミックレンジを圧縮する圧縮テーブルＴ０が求められた場合には、ハイライト側の傾きの大きさ｜Ｐｈ−１｜がしきい値Ｔｈ１より大きいか否かを判定し、図６に示すようにシャドウ側のダイナミックレンジを圧縮する圧縮テーブルＴ０が求められた場合には、シャドウ側の傾きの大きさ｜Ｐｈ−１｜がしきい値Ｔｈ１より大きいか否かを判定すればよい。
【００３６】
また、上記実施形態においては、画像解析部２３および圧縮テーブル生成部２４において圧縮テーブルＴ０を生成しているが、あらかじめ用意された圧縮テーブル（Ｔ１とする）を用いてダイナミックレンジの補正量Ｃ０を算出してもよい。図８はあらかじめ用意された圧縮テーブルＴ１の例を示す図である。このような圧縮テーブルＴ１を用いて画像Ｓ２のダイナミックレンジを圧縮した場合、図９に示すようにハイライト側の濃度が高められ、シャドウ側の濃度が低められた処理済み画像Ｓ３を得ることができるが、ハイライト側において濃度Ｙｋよりも低い濃度域は画像出力部３において再現することができない。
【００３７】
このため、あらかじめ用意された圧縮テーブルＴ１を用いる場合、画像出力部３において再現可能な最低濃度Ｙｋを求め、圧縮テーブルＴ１上において濃度Ｙｋの補正量ＬｕｔＤＲ（Ｙｋ）を求め、補正量ＬｕｔＤＲ（Ｙｋ）をダイナミックレンジ圧縮率とし、ダイナミックレンジ圧縮率が所定のしきい値Ｔｈ３よりも大きいか否かを判定してもよい。この場合、この判定が肯定されると、ダイナミックレンジ圧縮処理により画像に含まれる細かなテクスチャのつぶれが大きくなるため、ボケ濃度Ｙ′からダイナミックレンジの補正量Ｃ０を算出し、上記判定が否定されると、画像処理による画像の変化量は小さく、画像Ｓ２に含まれる細かなテクスチャのつぶれも小さいため、濃度Ｙからダイナミックレンジの補正量Ｃ０を算出すればよい。
【００３８】
なお、圧縮テーブルＴ１は非線形であることから濃度Ｙｋにおける微分値を求め、この微分値の大きさが所定のしきい値Ｔｈ４よりも大きいか否かを判定してもよい。また、ＡＥ処理部２２における所定値（すなわち画像Ｓ１から画像Ｓ２を得るために、画像Ｓ２から加減算する値）が所定のしきい値Ｔｈ５よりも大きいか否かを判定してもよい。
【００３９】
これらの場合、上記判定が肯定されると、ダイナミックレンジ圧縮処理により画像に含まれる細かなテクスチャのつぶれが大きくなるため、ボケ濃度Ｙ′からダイナミックレンジの補正量Ｃ０を算出し、上記判定が否定されると、画像処理による画像の変化量は小さく、画像Ｓ２に含まれる細かなテクスチャのつぶれも小さいため、濃度Ｙからダイナミックレンジの補正量Ｃ０を算出すればよい。
【図面の簡単な説明】
【００４０】
【図１】本発明の実施形態による画像処理装置の構成を示す概略ブロック図
【図２】ＡＥ処理およびダイナミックレンジ圧縮処理を説明するための図
【図３】濃度のヒストグラムを示す図
【図４】シャドウ側およびハイライトのダイナミックレンジを圧縮する圧縮テーブルの例を示す
【図５】ハイライト側のダイナミックレンジを圧縮する圧縮テーブルの例を示す図
【図６】シャドウ側のダイナミックレンジを圧縮する圧縮テーブルの例を示す図
【図７】本実施形態において行われる処理を示すフローチャート
【図８】あらかじめ用意された圧縮テーブルの例を示す図
【図９】図８に示す圧縮テーブルを用いたダイナミックレンジ圧縮処理を説明するための図
【符号の説明】
【００４１】
１    画像入力部
２    画像処理部
３    画像出力部
２１  ビット変換部
２２  ＡＥ処理部
２３  画像解析部
２４  圧縮テーブル生成部
２５  補正量算出部
２６  圧縮処理部
【図１】
2005079624.tif 000003
【図２】
2005079624.tif 000004
【図３】
2005079624.tif 000005
【図４】
2005079624.tif 000006
【図５】
2005079624.tif 000007
【図６】
2005079624.tif 000008
【図７】
2005079624.tif 000009
【図８】
2005079624.tif 000010
【図９】
2005079624.tif 000011